(57)【要約】【課題】眼鏡使用時のずり落ちを防止し、衛生的に使用できるシリコンゴムシールを提供する。【解決手段】眼鏡の鼻当て部に、シリコンゴムの表面に凸状の突起帯を波型、又は稲妻型等に複数設け眼鏡枠の鼻当て部に収まる形に形成し、眼鏡鼻当て部に接触する面には粘着剤を塗布、又は接着面を有するシート等にこのシリコンゴムを部材とした物を貼り付けこれを眼鏡鼻当て部に貼着することによって、眼鏡のずり落ちを防止し、シリコンゴムを材料としているので必要に応じ洗浄が可能である為、洗浄による眼鏡のずり落ち防止効果を再現し衛生的に使用する事ができる。【選択図】図１
2010286805.tif 000002
【特許請求の範囲】
【請求項１】
眼鏡の鼻当て部に貼り付けるシリコンゴムシールであって、シリコンゴムシールの表面に突起帯を複数設けたことを特徴とする眼鏡のずり落ち防止シリコンゴムシール。
【請求項２】
衛生的に携行できるカバー付台紙に貼着されていることを特徴とする請求項１記載の眼鏡のずり落ち防止シリコンゴムシール。
【請求項３】
眼鏡の鼻当て部に容易に貼り付けることの出来る切り取り式シール台紙に貼着されていることを特徴とする請求項１記載の眼鏡のずり落ち防止シリコンゴムシール。
【発明の詳細な説明】
【技術分野】
【０００１】  本発明は、眼鏡使用時の眼鏡のずれ落ちを防止するものに関するものである。
【背景技術】
【０００２】  従来、眼鏡のずれを防止するために鼻当てパットに関しては、ほとんど市販はされていないが、先行技術文献としていくつかの文献が見られる。そこで、本発明との関連性がある先行技術文献を以下に挙げる。【０００３】  文献１は、実開昭６２−１６９２２号の「眼鏡のパッド」であり、その概要は、鼻当てにスポンジ製のパッドを用い、眼鏡のずり落ち防止を意図する。【０００４】  文献２は、実開昭６３−２０１２１号の「眼鏡用鼻当てパッド」であり、その概要は、鼻当てに吸水、吸脂性の素材のパッドを用い眼鏡のずり落ち防止を意図する。【０００５】  文献３は、実登３０２５６３４号の「眼鏡枠用鼻パッド」であり、その概要は、鼻当てシリコンゴムの表面に幾多の切り込みを入れたパッドを用い眼鏡のずり落ち防止を意図する。【０００６】  文献４は、特開平０９−０６１７５６号の「メガネのずり落ち防止具」であり、超極細繊維を用い眼鏡のずり落ち防止を意図する。【０００７】  文献５は、特開平１０−１６１０６７号の「眼鏡フレームの鼻当ておよび鼻当てパッド」であり、軟質多孔性材料からなるパッドを用い眼鏡のずり落ち防止を意図する。【０００８】  文献６は、実登３１３６０７６号の「メガネの鼻当てに取り付けられるパッド」であり、不織布を用い、化粧落ちの防止とメガネのずり落ち防止を意図する。
【先行技術文献】
【特許文献１】実開昭６２−１６９２２号
【特許文献２】実開昭６３−２０１２１号
【特許文献３】実登３０２５６３４号
【特許文献４】特開平０９−０６１７５６号
【特許文献５】特開平１０−１６１０６７号
【特許文献６】実登３１３６０７６号
【発明の概要】
【発明が解決しようとする課題】
【０００９】  文献１は、眼鏡の鼻当て部に、スポンジ製のパットを取り付け眼鏡のずり落ちの防止を図るものであるが、素材がスポンジであるため、皮脂等の汚れが付着した場合、洗浄等を施しても衛生面で不安が残り、交換サイクルが早くなると考えられる。【００１０】  文献２は、眼鏡の鼻当て部に、吸水、吸脂性の素材のパットを取り付け眼鏡のずり落ちの防止を図るものであるが、素材が吸水、吸脂性の為皮脂等の汚れが付着した場合、洗浄等を施しても衛生面で不安が残り、交換サイクルが早くなると考えられる。【００１１】  文献３は、シリコンゴム製の眼鏡枠用鼻パットにカッターナイフ等で切り込み加工を行なう事により出来た襞によって眼鏡のずり落ち防止を図るものであるが、シリコンゴム製の眼鏡枠用鼻パットにカッターナイフ等で切り込みを入れているため、皮脂等の汚れが付着した場合、洗浄等を施しても衛生面で不安が残り、又交換も眼鏡用鼻パット自体の交換になるため煩雑になると考えられる。【００１２】  文献４は、超極細繊維で作られたパッチを眼鏡の鼻当て部に貼着して眼鏡のずり落ちの防止を図るものであるが、素材が超極細繊維のため皮脂等の汚れが付着した場合、洗浄等を施しても衛生面で不安が残り、交換サイクルが早くなると考えられる。【００１３】  文献５は、軟質多孔性素材のパットを貼着、又は袋状のパットにより眼鏡のずり落ち防止を図るものであるが、軟質多孔性素材の微細な孔部の洗浄等を施し手も衛生面で不安が残り、又袋状のパットの交換は煩雑であると考えられる。【００１４】  文献６は、不織布で作られたパットを眼鏡の鼻当て部に貼着することにより、化粧落ちの防止と眼鏡のずり落ち防止を図るものであるが、素材が不織布のため皮脂等の汚れが付着した場合、洗浄等を施しても衛生面で不安が残り、交換サイクルが早くなると考えられる。【００１５】  先行技術には、概ね吸水、吸脂性が高い繊維やスポンジ、多孔性部材や狭い間隔の切り込みが入ったパットが使用されており、眼鏡を洗浄する事によるずり落ち防止効果の回復や衛生面での不安が残り、パットの交換サイクルが早くなるという問題点があった。本発明はそれらの問題点を解決するためになされたものである。
【課題を解決するための手段】
【００１６】  請求項１の発明は、シリコンゴムを部材とし、その表面を平滑、又は僅かな凸状の突起帯を複数設け、その突起帯を波型、又は稲妻型等に配し、眼鏡枠の鼻当て部に収まる形に形成し、眼鏡鼻当て部に接触する面には粘着剤を塗布、又は粘着面を有するシート等にこの部材を貼り付けこれを眼鏡鼻当て部に貼着する構造の眼鏡のずり落ち防止シリコンゴムシールである。【００１７】  請求項２の発明は、眼鏡のずれ防止シリコンゴムシールが台紙に複数枚貼着した状態で衛生的に携帯するために、台紙に薄い透明ビニール等のカバーで覆われているものである。【００１８】  請求項３の発明は、眼鏡のずり落ち防止シリコンゴムシールを眼鏡の鼻当て部に容易に貼着させるためのものである。
【発明の効果】
【００１９】  眼鏡のずり落ち防止効果が著しく改善されるため、眼鏡の機能が十分に発揮され眼の疲れが非常に少なくなり、柔軟素材であるため快適な使用感が得られる上、必要に応じ洗浄が可能でずり落ち防止効果が複数回回復されると共に衛生的に使用でき、通常の使用状況で約三日から十日間程度の使用が可能であるため経済性にも優れる。
【図面の簡単な説明】
【００２０】
【図１】眼鏡のずれ防止シリコンゴムシール本体の使用図。
【図２】眼鏡のずれ防止シリコンゴムシール本体を、眼鏡鼻当て部に、貼着状態の眼鏡全体の斜視図。
【図３】眼鏡のずれ防止シリコンゴムシール本体を、眼鏡鼻当て部に、貼着状態の鼻当て部の拡大斜視図。
【図４】眼鏡のずれ防止シリコンゴムシール本体の斜視図
【図５】眼鏡のずれ防止シリコンゴムシール本体の縦方向の断面図。
【図６】携行用シール台紙と、シール台紙の使用状態の図。
【図７】ミシン目を付けたシール台紙と、ミシン目に沿って切り離したシール台紙の図。
【発明を実施するための形態】
【００２１】  以下、本発明の実施の形態について図面に基づいて説明する。
本発明は、図１、図２及び図３に示すように、眼鏡フレーム（１）にクリングス（２）を介して取り付けられている鼻当て部（３）に貼着される、眼鏡のずり落ち防止シリコンゴムシール（４）に関するものである。
【００２２】  次に、眼鏡のずり落ち防止シリコンゴムシール（４）の材質について説明する。本体の部材はシリコンゴムを使用し、シリコンゴムの特性として非常に柔軟性を持つ材質である。さらに耐油性・耐酸化性・耐熱性が高く、不導体であり化学的に安定で酸化・分解されにくい性質を持ち、生理活性が低いため生体へ毒性が小さく、尚且つ紫外線や放射線にもある程度耐えることから、耐候性も有する素材である。そこでシリコンゴムの柔軟性に着目し本発明では、その柔軟性を生かし眼鏡の鼻当て部（３）にシリコンゴムを貼着させることによりその柔軟さが皮膚との摩擦抵抗を大きくし眼鏡のずり落ち防止に優れた効果を得られ、さらにシリコンゴムが皮膚に密着するため心地よい使用感が得られ、眼鏡使用者が眼鏡のずり落ちに煩わされることなく安心して使用できる。また、部材がシリコンゴムであるため、お湯や中性洗剤等で洗浄することが可能となり、シリコンゴム表面に付着した皮脂等の汚れを容易に洗い流すことができ、洗浄後乾いた布やティッシュペーパー等で水分をふき取ることでシリコンゴムの摩擦抵抗が回復し、眼鏡のずり落ち防止効果の回復が複数回容易に図られるので、眼鏡使用者が衛生的に安心して使用できるものである。
【００２３】  眼鏡のずり落ち防止シリコンゴムシール（４）の形状は、細長矩形、菱型、楕円形、円形、涙滴形等の各種形状が在るが、眼鏡の鼻当て部（３）の形状内に収まればよく、鼻当て部（３）よりはみ出さない大きさとすることが肝要である。
【００２４】  眼鏡のずり落ち防止シリコンゴムシール（４）の本体の厚みは、シリコンゴムを０．１ｍｍ〜１ｍｍ程の極めて薄くしたものを使用することで、眼鏡の使用時に違和感が無く使用できる。そして、その表面は平滑、または断面形状が凸状、半円等で０．０５ｍｍ〜０．５ｍｍ程の僅かな高さの突起を水平方向に波型状や稲妻型状等に連続する帯状の形態に形成し複数設ける。このように突起帯（５）を設けることによって、突起帯（５）が皮膚表面に直交するため、抵抗が大きくなるのと共に、シリコンゴムが皮膚面に触れる表面積が増加することになるので皮膚との接触面が多くなり眼鏡のずり落ち防止効果を増す。
【００２５】  この構造は、先行文献３の眼鏡枠の鼻当て部本体のシリコンゴム部材の表面に幾多の切り込みを入れ襞状にしたパッドとは構造を異にし、先行文献３の場合は表面の切り込みが襞状のため皮脂等の汚れが襞と襞の間に入り込んでしまう可能性があり衛生上の問題が考えられるが、本発明は襞ではなく突起帯であるため皮脂等の汚れが入り込むことがなく、洗浄により皮脂等の汚れを容易に洗い流すことが可能であるため、眼鏡使用者が衛生的に安心して使用できる。
【００２６】  眼鏡のずり落ち防止シリコンゴムシール（４）の本体の色は、シリコンゴムを透明や半透明、白色等に着色することにより、眼鏡使用者の好みの色が選択することができるものである。また、シリコンゴムに芳香性の香料等を入れることにより、眼鏡使用者の気分転換等の効果も図られる。
【００２７】  次に、図４及び図５に示す眼鏡のずり落ち防止シリコンゴムシール（４）を眼鏡のフレームにクリングス（２）を介して取り付けられている鼻当て部（３）に取り付ける方法と構造について説明する。眼鏡のずり落ち防止シリコンゴムシール（４）の本体のシリコンゴムの裏面に接着剤を塗布しておくか、接着面を両面に有するシートや、両面テープ等（６）を貼着するなどによりシリコンゴムシール（４）を粘着剤によって眼鏡の鼻当て部に取り付ける。
【００２８】  図４及び図５に示す接着剤等について説明する。眼鏡のずり落ち防止シリコシール（４）の本体のシリコンゴムの裏面に塗布される接着剤（６）や、接着面を両面に有するシート（６）や、両面テープ等（６）は、柔軟性、耐油性、耐水性、耐熱性、耐候性等を有するものを使用された方がよい。その方がシリコンゴムの柔軟性を損なうことなく使用でき、複数回のお湯や中性洗剤等の洗浄にも耐えるため眼鏡のずり落ち防止効果の回復が容易に複数回図られるため眼鏡使用者が安心して使用できる。
【００２９】  先行技術と眼鏡のずり落ち防止シリコンゴムシール（４）との違いを説明する。本発明の眼鏡のずり落ち防止シリコンゴムシール（４）は、本体の部材にシリコンゴムを使用しおり、シリコンゴムの特性としては非常に柔軟性を持つ材質である。耐油性・耐酸化性・耐熱性も高く、不導体であり化学的に安定で酸化・分解されにくい性質を持ち、生理活性が低いため生体へ毒性が小さく、尚且つ紫外線や放射線にもある程度耐えることから、耐候性も有する素材である。
【００３０】  また、本体のシリコンゴムを極めて薄くしたものを使用し、その表面は平滑、又は断面形状が凸状、半円状等の僅かな高さの突起を水平方向に波型状や稲妻型状等に連続する帯状の形態に形成し、それを複数設けることにより、突起帯（５）が皮膚表面に直交するため皮膚面との抵抗が大きくなるのと共に、シリコンゴムの表面積が増加することになるので皮膚との接触面が増加し眼鏡のずり落ち防止効果を増すものである。
【００３１】  さらに、素材がシリコンゴムであるため付着した皮脂等の汚れを洗浄しやすく、本体の表面に付着した皮脂等の汚れを容易に洗い流すことができ、洗浄後乾いた布やティッシュペーパー等で水分をふき取ることで眼鏡のずり落ち防止効果の回復が複数回容易に図られ衛生的に使用できる。
【００３２】  次に、図６に示す携行用シール台紙（８）の構造について説明する。携行用シール台紙（８）は、使用前の眼鏡のずり落ち防止シリコンゴムシール（９）を複数枚貼着した携行用シール台紙（８）であるが、眼鏡のずり落ち防止シリコンゴムシール（９）は、強い柔軟性を持つため、使用前に他の物体等と擦れたりすることにより携行用シール台紙（８）より剥がれてしまうことがある。そこで、携行用シール台紙（８）と同じ面積を持つ透明シート（７）を携行用シール台紙（８）の一辺に固着させることにより眼鏡のずり落ち防止シリコンゴムシール（９）の表面を覆う構造としてもよい。このようにすれば、携行携帯時に携行用シール台紙（８）より使用前の眼鏡のずり落ち防止シリコンゴムシール（９）が剥れ落ちるのを防止し、さらに表面の汚れも防止することができるので、眼鏡のずり落ち防止シリコンゴムシール（９）を衛生的に使用し、ずり落ち防止効果機能の保持が可能となる。
【００３３】  図６の透明シートを使用する目的と部材の性能を説明する。表面を覆うシートに透明シート（７）を使用することで、未使用の眼鏡のずり落ち防止シリコンゴムシール（９）の枚数が容易に確認することができる。さらに、透明シート（７）の部材に柔軟性、耐油性、耐水性、耐熱性、耐候性等の性能を有する部材を使用することにより眼鏡のずり落ち防止シリコンゴムシール（９）の機能を保持できる。
【００３４】  次に、図７に示す切り取れる携行用シール台紙（１０）の使用方法について説明する。この切り取れるシール台紙（１０）は、眼鏡のずり落ち防止シリコンゴムシール（９）を眼鏡の鼻当て部（３）に装着時に眼鏡のずり落ち防止シリコンゴムシール（９）と共に携行用シール台紙（８）より切り離し、装着の補助をすることを目的とするものである。携行用シール台紙（８）を切り取り線等に沿って切り取ることができるようにすることで、眼鏡のずり落ち防止シリコンゴムシール（９）を切り取った携行用シール台紙（１０ａ）と共に携行用シール台紙（８）から剥離させる。切り取った携行用シール台紙部分（１０ａ）を指先等で持って眼鏡のずり落ち防止シリコンゴムシール（９ａ）を眼鏡の鼻当て部（３）に貼り付け、その後切り取った携行用シール台紙部分（１０ａ）を眼鏡のずり落ち防止シリコンゴムシール（９ａ）から剥離させ、眼鏡のずり落ち防止シリコンゴムシール（９ａ）を眼鏡の鼻当て部（３）に圧着させる。こうすることで、接着面の機能を損なうことなく使用者が確実に眼鏡のずり落ち防止シリコンゴムシール（９）を眼鏡の鼻当て部（３）に貼着させるように使用することができる。
【００３５】  次に図７に示す切り取れる携行用シール台紙（１０）の構造について説明する。これは携行用シール台紙（８）に貼着された使用前の眼鏡のずり落ち防止シリコンゴムシール（９）に半分程かかる携行用シール台紙部分（８）に矩形等の形状（１０）に切り取り線等を入れた構造とする。
【００３６】  眼鏡のずり落ち防止シリコンゴムシール（３）を試作し、数十人の眼鏡使用者の方々に試用していただいた結果、今までは汗をかいていなくても眼鏡のずり落ちが頻繁にあり、其の度に眼鏡を指で正しい位置に戻していたが、このシールだとほとんどずれないので眼鏡位置を修正する煩わしさが無い。汗をかいた時でも眼鏡のずり落ちが非常に少なくなった。今まで眼鏡のずり落ちをあまり感じていなかった人も、眼鏡が顔に吸い付くような感じで眼鏡と顔に一体感が生じ、眼鏡使用の違和感がより少なく眼が疲れない。眼鏡に貼着させたまま中性洗剤で洗え、洗った後も機能が回復するので非常に便利であるなどと、概ねほとんどの人から好評を得ることができた。
【００３７】  さらに、使用期間もその使用条件により差はありますが約三日から十日前後、人によっては同じものを二十日間使い続けた人もいるが、理想的には一週間程度で交換するのが望ましいと思われる。又、切り取れる携行用シール台紙（１０ａ）についても眼鏡のずり落ち防止シリコンゴムシール（４）の使用者のほとんどの人は視力が低下しているため、小さなシールを指先で直接眼鏡の鼻当て部に貼着させることが難しいので便利であると云う評価をいただいた。本発明は年齢男女を問わず眼鏡使用者の眼鏡がずり落ちるという課題を解決できるものである。
【符号の説明】
【００３８】    １      眼鏡フレーム
２      クリングス部
３      眼鏡鼻当て部
４      眼鏡のずり落ち防止シリコンゴムシール本体
５      突起帯
６      接着剤又は、接着シート
７      透明シート
８      携行用シール台紙
７ａ    透明シート
８ａ    携行用シール台紙
９      眼鏡のずり落ち防止シリコンゴムシール本体
１０    切り取った携行用シール台紙
９ａ    眼鏡のずり落ち防止シリコンゴムシール本体
１０ａ  切り取った携行用シール台紙
【図１】
2010286805.tif 000003
【図２】
2010286805.tif 000004
【図３】
2010286805.tif 000005
【図４】
2010286805.tif 000006
【図５】
2010286805.tif 000007
【図６】
2010286805.tif 000008
【図７】
2010286805.tif 000009